(57)【特許請求の範囲】
【請求項１】
胴部と該胴部よりも小径の口部とを備えた筒状に形成され、内部に第１剤を収容可能な容器本体と、
径方向外側に向けて開口する定量計測室を備え、前記口部の内側に装着されて該口部を閉塞するとともに前記定量計測室が前記容器本体内に連通する後退位置と前記定量計測室が前記容器本体の外部に開放される進出位置との間で前記口部の軸方向に移動自在のスライド栓と、
前記容器本体に着脱自在に装着され、前記口部を覆うとともに該口部の外側から前記スライド栓に当接して該スライド栓の前記進出位置へ向けた移動を阻止するストッパキャップと、
両端が閉塞された筒状に形成され、内部に第２剤を収容可能であるとともに前記胴部の内側に該胴部の軸方向に移動自在に装着されて該胴部の開口端を閉塞する内容器と、
前記スライド栓に設けられ、前記ストッパキャップが装着された状態で前記内容器が前記口部の側に向けて押し込まれたときに該内容器の端壁を破断する破断部と、
前記スライド栓に設けられ、前記ストッパキャップが取り外された状態で端壁が破断された前記内容器が前記口部の側にさらに押し込まれたときに該内容器に当接して前記スライド栓を前記内容器とともに前記後退位置から前記進出位置にまで移動させる当接部と、
を有することを特徴とする二剤混合容器。
【請求項２】
前記スライド栓は、該スライド栓が前記後退位置にあるときに前記口部の内周面に全周に亘って当接するとともに前記スライド栓が前記進出位置にあるときに前記口部の外側に配置される第１栓部と、前記スライド栓が前記進出位置にあるときに前記口部の内周面に全周に亘って当接するとともに前記スライド栓が前記後退位置にあるときに前記容器本体の内部に配置される第２栓部とを備え、前記定量計測室は前記第１栓部と前記第２栓部の間に環状に設けられて前記第１栓部と前記第２栓部とが共に前記口部の内周面に当接したときに前記混合剤を計量する、請求項１に記載の二剤混合容器。
【請求項３】
前記スライド栓は、それぞれ前記容器本体の軸心を中心として放射状に配置される複数の板部と、これらの板部の外周部を互いに連結する円筒体とを備え、前記当接部は前記円筒体の外周面から突出するリブとして形成され、前記破断部は前記円筒体の前記内容器の側を向く上端から突出する破断刃として形成されている、請求項１または２に記載の二剤混合容器。
【請求項４】
前記胴部の開口端に径方向外側に突出する本体側フランジが設けられ、前記内容器の後端に径方向外側に突出する内容器側フランジが設けられ、前記本体側フランジと前記内容器側フランジとの間に前記内容器の前記口部の側へ向けた移動を阻止するストッパ片が装着されている、請求項１〜３の何れか１項に記載の二剤混合容器。
【請求項５】
前記第１剤は濾紙に保持された粉末の薬剤であり、前記第２剤は薬液である、請求項１〜４の何れか１項に記載の二剤混合容器。
【発明の詳細な説明】
【技術分野】
【０００１】
本発明は、第１剤と第２剤とを別々に収容可能であるとともにこれらを混合可能な二剤混合容器に関する。
【背景技術】
【０００２】
例えば食品衛生の検査においては、容器に収容された薬剤を当該容器から所定量だけ取り出し、これを所定量の薬液に混合して二剤混合式の検査薬を調剤するようにしている。そして、このように調剤した検査薬を所定量だけ取り出し、これを所定量の培地剤に混合することで所定濃度の培地を生成し、シャーレ（ペトリ皿）等に所定量だけ取り出されて所定温度に保持された培地に被検査物を入れて培養するようにしている。
【０００３】
従来、このような培地の生成作業においては、薬液や培地をスポイトやピペット等の取出し器具を用いて容器から所定量だけ取り出し、これらをビーカー等の容器に入れて混合するようにしていた。そのため、混合作業を行うためにはスポイトやビーカー等の器具を用意する必要があり、また、容器から正確に所定量の薬液等を取り出すことが困難であるなど、その作業は煩雑であった。
【０００４】
これに対して、所定量の第１剤を収容する容器と所定量の第２剤を収容する容器とを液密に接続し、これらの剤を一方の容器内において混合して混合剤を生成するようにした二剤混合容器が知られている（例えば特許文献１参照）。
【先行技術文献】
【特許文献】
【０００５】
【特許文献１】特開２０１０−１５５６２８号公報
【発明の概要】
【発明が解決しようとする課題】
【０００６】
しかしながら、上記特許文献に記載される二剤混合容器においても、混合された混合剤を容器内から所定量だけ取り出す際にはスポイトやピペット等の器具が必要であり、またこれらの器具を用いて容器から正確に所定量の混合剤を取り出すことは困難であるので、その作業は煩雑であった。
【０００７】
本発明は、このような課題に鑑みてなされたものであり、その目的は、第１剤と第２剤とを容易に混合することができるとともに当該混合剤から所定量を容易に取り出すことができる二剤混合容器を提供することにある。
【課題を解決するための手段】
【０００８】
本発明の二剤混合容器は、胴部と該胴部よりも小径の口部とを備えた筒状に形成され、内部に第１剤を収容可能な容器本体と、径方向外側に向けて開口する定量計測室を備え、前記口部の内側に装着されて該口部を閉塞するとともに前記定量計測室が前記容器本体内に連通する後退位置と前記定量計測室が前記容器本体の外部に開放される進出位置との間で前記口部の軸方向に移動自在のスライド栓と、前記容器本体に着脱自在に装着され、前記口部を覆うとともに該口部の外側から前記スライド栓に当接して該スライド栓の前記進出位置へ向けた移動を阻止するストッパキャップと、両端が閉塞された筒状に形成され、内部に第２剤を収容可能であるとともに前記胴部の内側に該胴部の軸方向に移動自在に装着されて該胴部の開口端を閉塞する内容器と、前記スライド栓に設けられ、前記ストッパキャップが装着された状態で前記内容器が前記口部の側に向けて押し込まれたときに該内容器の端壁を破断する破断部と、前記スライド栓に設けられ、前記ストッパキャップが取り外された状態で端壁が破断された前記内容器が前記口部の側にさらに押し込まれたときに該内容器に当接して前記スライド栓を前記内容器とともに前記後退位置から前記進出位置にまで移動させる当接部と、を有することを特徴とする。
【０００９】
本発明の二剤混合容器では、前記スライド栓は、該スライド栓が前記後退位置にあるときに前記口部の内周面に全周に亘って当接するとともに前記スライド栓が前記進出位置にあるときに前記口部の外側に配置される第１栓部と、前記スライド栓が前記進出位置にあるときに前記口部の内周面に全周に亘って当接するとともに前記スライド栓が前記後退位置にあるときに前記容器本体の内部に配置される第２栓部とを備え、前記定量計測室は前記第１栓部と前記第２栓部の間に環状に設けられて前記第１栓部と前記第２栓部とが共に前記口部の内周面に当接したときに前記混合剤を計量するのが好ましい。
【００１０】
本発明の二剤混合容器では、前記スライド栓は、それぞれ前記容器本体の軸心を中心として放射状に配置される複数の板部と、これらの板部の外周部を互いに連結する円筒体とを備え、前記当接部は前記円筒体の外周面から突出するリブとして形成され、前記破断部は前記円筒体の前記内容器の側を向く上端から突出する破断刃として形成されているのが好ましい。
【００１１】
本発明の二剤混合容器では、前記胴部の開口端に径方向外側に突出する本体側フランジが設けられ、前記内容器の後端に径方向外側に突出する内容器側フランジが設けられ、前記本体側フランジと前記内容器側フランジとの間に前記内容器の前記口部の側へ向けた移動を阻止するストッパ片が装着されているのが好ましい。
【００１２】
本発明の二剤混合容器では、前記第１剤は濾紙に保持された粉末の薬剤であり、前記第２剤は薬液であるのが好ましい。
【発明の効果】
【００１３】
本発明によれば、内容器を容器本体の口部の側へ向けて押し込むだけの簡単な操作で、第１剤と第２剤とを容器本体内において混合することができるとともに当該混合剤を容器本体の口部から外部に所定量だけ容易に取り出すことができる。
【図面の簡単な説明】
【００１４】
【図１】本発明の一実施の形態である二剤混合容器の半断面図を、そのＡ−Ａ線に沿う断面図とともに示した図である。
【図２】図１に示す二剤混合容器の、容器本体に収容した薬剤と内容器に収容した薬液とを混合させた状態の半断面図である。
【図３】図１に示す二剤混合容器の、スライド栓に設けられた定量計測室で混合剤を計量している状態の半断面図である。
【図４】図１に示す二剤混合容器の、定量計測室で計量された所定量の混合剤を口部から排出している状態の半断面図である。
【図５】図１に示す二剤混合容器と組み合わせて使用される定量排出混合容器の半断面図である。
【図６】図１に示す二剤混合容器と図５に示す定量排出混合容器の、これらを組み合わせた状態の半断面図である。
【図７】図１に示す二剤混合容器と組み合わせて使用される蓋付き混合容器およびスポイトの半断面図である。
【図８】図１に示す二剤混合容器と図７に示す混合容器本体の、これらを組み合わせた状態の半断面図である。
【発明を実施するための形態】
【００１５】
以下、図面を参照して、本発明をより具体的に例示説明する。
【００１６】
図１に示す本発明の一実施の形態である二剤混合容器１は、例えば食品衛生検査をするための検査キットにおいて、使用時に二剤を混合して調剤される検査薬つまり二剤混合式の検査薬を収容するための容器として用いることができるものである。
【００１７】
この検査キットは、二剤混合式の検査薬を培地剤で希釈して培地を生成し、この培地に採取した被検査物を入れて培養することにより、当該被検査物に菌が含まれているか否かを検査するためのものである。以下に、このような検査キットを用いた検査の手順を簡単に説明する。
【００１８】
まず、所定量（７．５ｍｌ）の薬液（第１剤）に所定量（３０μｇ）の粉状の薬剤を混合して混合剤つまり検査薬を調剤する。次に、この検査薬を所定量（１ｍｌ）だけ取り出し、所定量（９ｍｌ）の培地剤と混合して希釈させて所定量（１０ｍｌ）の培地を生成する。そして、シャーレ（ペトリ皿）に所定量（１ｍｌ）の培地を取り出し、この培地を所定温度（例えば５０℃）に保温しつつ、当該培地に採取した被検査物を入れて当該被検査物に含まれる菌の培養を行ない、菌の有無を判断する。
【００１９】
本発明の二剤混合容器１を用いることにより、上記検査において、所定量（７．５ｍｌ）の薬液（第２剤）に所定量（３０μｇ）の粉状の薬剤（第１剤）を混合して混合剤つまり検査薬を調剤し、この検査薬を所定量（１ｍｌ）だけ取り出す作業を容易に行うことができる。以下に、本発明の二剤混合容器１の構成について説明する。
【００２０】
図１に示すように、二剤混合容器１は容器本体２を有している。容器本体２は例えば樹脂材料により円筒状に形成することができる。容器本体２は、一端（図１では上端）が開口する胴部２ａとこの胴部２ａの他端側（図１では下端側）に設けられる口部２ｂとを有しており、口部２ｂは胴部２ａよりも小径に形成されている。胴部２ａと口部２ｂとの間には胴部２ａよりも小径かつ口部２ｂよりも大径の装着円筒部２ｃが設けられており、装着円筒部２ｃと口部２ｂとの間はテーパ部２ｄとなっている。
【００２１】
この容器本体２は、その内部に所定量の第１剤を収容することができる。図１には、第１剤として３０μｇの粉状の薬剤３を円板状に形成された濾紙に保持（含有）させた状態で容器本体２の内部に収容した場合を示す。なお、容器本体２に収容される第１剤は粉状のものに限らず、所定量の粉状の薬剤を錠剤に形成したものや、薬液等の液体とすることもできる。
【００２２】
口部２ｂの内側にはスライド栓１０が装着されている。このスライド栓１０は容器本体２の軸心に沿って延びる柱状部１０ａ、第１栓部１０ｂおよび第２栓部１０ｃを備えており、図１に示す後退位置と図４に示す進出位置との間で口部２ｂの軸方向に移動自在となっている。
【００２３】
第１栓部１０ｂは下方に向かうに連れて拡径する傘状に形成されており、柱状部１０ａの下端に一体に設けられている。第１栓部１０ｂの外径は口部２ｂの内径と略一致しており、第１栓部１０ｂは口部２ｂの内周面に当接して当該口部２ｂを液密に閉塞することができるとともに口部２ｂの内周面に対して摺動可能となっている。なお、第１栓部１０ｂは、傘状に限らず、口部２ｂの内周面に全周に亘って当接して当該口部２ｂを液密に閉塞することができれば、種々の形状とすることができる。
【００２４】
第２栓部１０ｃは円板状に形成され、第１栓部１０ｂに対して図中上方に所定距離だけ離れた位置において柱状部１０ａに一体に設けられている。第２栓部１０ｃの外径も口部２ｂの内径と略一致しており、第２栓部１０ｃは口部２ｂの内周面に当接して当該口部２ｂを液密に閉塞することができるとともに口部２ｂの内周面に対して摺動可能となっている。なお、第２栓部１０ｃは、円板状に限らず、口部２ｂの内周面に全周に亘って当接して当該口部２ｂを液密に閉塞することができるものであれば、種々の形状とすることができる。
【００２５】
第１栓部１０ｂの外周端と第２栓部１０ｃの外周端との間の軸方向距離は口部２ｂの内周面の軸方向長さよりも小さくなっている。したがって、図３に示すように、第１栓部１０ｂと第２栓部１０ｃは口部２ｂの内周面に同時に当接することができる。
【００２６】
図１に示すように、スライド栓１０の第１栓部１０ｂと第２栓部１０ｃとの間に区画された空間は、径方向外側に向けて開口する環状の定量計測室１１となっている。図示する場合では、定量計測室１１の内容量は１ｍｌとされている。
【００２７】
スライド栓１０が後退位置にあるときには、第１栓部１０ｂがその外周端において口部２ｂの内周面に全周に亘って当接して口部２ｂが液密に閉塞されるとともに第２栓部１０ｃが容器本体２の内部に配置されて定量計測室１１は容器本体２の内部に連通された状態とされる。これに対して、図４に示すように、スライド栓１０が進出位置にあるときには、第２栓部１０ｃがその外周端において口部２ｂの内周面に全周に亘って当接して口部２ｂが液密に閉塞されるとともに第１栓部１０ｂが口部２ｂの外側に配置されて定量計測室１１は口部２ｂの外部つまり容器本体２の外部に開放された状態とされる。一方、図３に示すように、スライド栓１０が後退位置と進出位置との間の中間位置にあるときには、第１栓部１０ｂと第２栓部１０ｃとが同時に口部２ｂの内周面に当接して定量計測室１１は規定の内容量を有するように液密に区画される。
【００２８】
なお、上記のように、スライド栓１０が後退位置と進出位置とを含む何れの位置にあっても、第１栓部１０ｂおよび第２栓部１０ｃの少なくとも何れか一方が必ず口部２ｂの内周面に当接するので、口部２ｂは常にスライド栓１０により液密に閉塞された状態に維持される。
【００２９】
図１に示すように、容器本体２にはストッパキャップ２０が装着されている。ストッパキャップ２０は、胴部２ａの外径と略同径の外径を有する有底円筒状に形成され、装着円筒部２ｃの外周面に設けられた雄ねじ２ｅにねじ結合して容器本体２に着脱自在に装着され、口部２ｂを覆っている。また、ストッパキャップ２０には、その底壁内面から突出する柱状のストッパ突起２０ａが一体に設けられている。このストッパ突起２０ａは口部２ｂの外側からスライド栓１０の柱状部１０ａの下端に当接し、スライド栓１０の進出位置へ向けた移動を阻止するようになっている。
【００３０】
なお、ストッパキャップ２０の底壁内面に一対の同心状の環状突起２０ｂを設け、これらの環状突起２０ｂの間に口部２ｂの先端を挟み込んで口部２ｂの先端を閉塞する構成とすることもできる。
【００３１】
容器本体２の胴部２ａの内側には内容器３０が装着されている。この内容器３０は両端が閉塞された円筒状に形成され、その内部に所定量の第２剤を収容することができる。図１には、第２剤として７．５ｍｌの薬液３１を収容した場合を示す。薬液３１の充填を可能とするために、内容器３０の上端壁３０ａは開閉可能な蓋状に構成されている。
【００３２】
内容器３０の外径は容器本体２の胴部２ａの内径と略一致しており、内容器３０が内側に装着されると胴部２ａの開口端が内容器３０により液密に閉塞される。また、内容器３０は胴部２ａの内周面に対して摺動することにより、胴部２ａに対して軸方向に移動自在となっている。
【００３３】
スライド栓１０は４枚の板部１２を有している。これらの板部１２は、それぞれ容器本体２の軸方向および径方向に沿って延びる板状に形成され、容器本体２の軸心を中心として周方向に等間隔に並べて放射状に配置されている。そして、これらの板部１２は、それぞれ下端部において柱状部１０ａの外周面に一体に連結されている。なお、板部１２は４枚に限らず、少なくとも１枚設けられていればよい。
【００３４】
濾紙に含有されて円板状に形成された薬剤３は、スライド栓１０の柱状部１０ａの上端に配置され、４枚の板部１２の内側端に挟み込まれて容器本体２内に保持されている。
【００３５】
また、スライド栓１０は、それぞれの板部１２の上端外周部に一体に連結されて４枚の板部１２を互いに連結する円筒体１３を有している。
【００３６】
円筒体１３の内容器３０の側を向く上端には破断部１４が設けられている。破断部１４は、上端が鋭角な破断刃に形成されており、円筒体１３の上端に一体に設けられて内容器３０の下端壁３０ｂに向けて上方に突出している。これに対して、内容器３０の容器本体２の内部に面する下端壁３０ｂには、当該下端壁３０ｂの外周に沿って円環状に延びる溝状の弱化部３２が設けられている。破断部１４は、ストッパキャップ２０が容器本体２に装着された状態で内容器３０が口部２ｂの側へ向けて押し込まれたときに弱化部３２に当接し、当該弱化部３２において内容器３０の下端壁３０ｂを破断させることができる。
【００３７】
なお、破断部１４は、円筒体１３の上端の周方向の一部のみから突出する円弧状に設けられるのが好ましいが、その全周に亘って突出する形状とすることもできる。また、円筒体１３の上端に周方向に間隔を空けて複数の破断部１４を設けた構成とすることもできる。
【００３８】
円筒体１３の外周面には８本のリブ１５が設けられている。これらのリブ１５は、それぞれ円筒体１３の外周面から径方向外側に向けて突出するとともに軸方向の沿って延びており、容器本体２の軸心を中心として周方向に等間隔に並べて放射状に配置されている。これらのリブ１５の径方向外側端は胴部２ａの内周面に摺動可能に接している。
【００３９】
スライド栓１０に設けられたリブ１５は当接部として機能する。つまり、ストッパキャップ２０が取り外された状態で、破断部１４により下端壁３０ｂが破断された内容器３０が、さらに口部２ｂの側へ向けて押し込まれると、リブ１５はその上端において内容器３０の下端に当接して内容器３０により口部２ｂの側へ向けて押されることで、スライド栓１０を後退位置から進出位置へ向けて移動させることができる。
【００４０】
胴部２ａの開口端には径方向外側に突出する断面Ｌ字形状の本体側フランジ４が一体に設けられている。一方、内容器３０の口部２ｂとは反対側を向く後端には径方向外側に突出する内容器側フランジ３３が一体に設けられている。そして、不使用時や運搬時等において内容器３０が口部２ｂの側へ向けて押し込まれることを防止するために、本体側フランジ４と内容器側フランジ３３との間にはストッパ片４０が装着されている。ストッパ片４０は円筒状に形成され、内容器３０の胴部２ａから突出した部分の外周面に装着され、その一端が本体側フランジ４に当接するとともに他端が内容器側フランジ３３に当接することで、内容器３０の口部２ｂの側へ向けた移動を阻止している。ストッパ片４０は、例えばその一部を軸方向に向けて切断することにより、本体側フランジ４と内容器側フランジ３３との間から取り外すことができる。なお、ストッパ片４０を断面Ｃ字形状に形成し、内容器３０の外周面に側方から着脱自在に嵌め込む構成とすることもできる。
【００４１】
次に、このような構成の二剤混合容器１の使用方法について説明する。
【００４２】
まず、図１に示す状態の二剤混合容器１からストッパ片４０を取り外して内容器３０を口部２ｂの側へ向けて押込み可能な状態とする。そして、図２に示すように、胴部２ａに対して口部２ｂが下方となる姿勢で内容器３０を口部２ｂの側へ向けて押し込み、破断部１４により内容器３０の下端壁３０ｂを破断させる。これにより、内容器３０に収容された薬液３１を容器本体２の内部に流入させ、容器本体２の内部において容器本体２に収容された薬剤３と内容器３０から流入した薬液３１とを混合することができる。このとき、薬剤３と薬液３１との混合により調剤された混合剤（検査薬）の一部は、容器本体２の内部に連通するスライド栓１０の定量計測室１１に流入する。
【００４３】
薬剤３と薬液３１とを十分に混合させた後、ストッパキャップ２０を取り外し、さらに内容器３０を口部２ｂの側へ向けて押し込み、内容器３０を当接部であるリブ１５の上端に当接させてスライド栓１０を内容器３０とともに後退位置から進出位置に向けて移動させる。スライド栓１０が後退位置から進出位置に向けて移動し、図３に示すように、スライド栓１０の第１栓部１０ｂと第２栓部１０ｃとが共に口部２ｂの内周面に当接した状態となると、定量計測室１１により混合剤が所定量つまり１ｍｌに計量される。
【００４４】
そして、さらに内容器３０を口部２ｂの側へ向けて押し込むことにより、図４に示すように、スライド栓１０の定量計測室１１を容器本体２の外部に連通させて、定量計測室１１で所定量に計量された混合剤を口部２ｂから外部に排出させることができる。
【００４５】
このように、本発明の二剤混合容器１では、内容器３０を口部２ｂの側へ向けて押し込むだけの簡単な操作で、所定量の粉状の薬剤３と所定量の薬液３１とを混合して混合剤を調剤するとともに、この混合剤を所定量だけ取り出す作業を容易に行うことができる。
【００４６】
なお、本体側フランジ４に内容器側フランジ３３が軸方向から当接するとともにスライド栓１０のリブ１５が装着円筒部２ｃの上端に軸方向から当接することにより、内容器３０の口部２ｂの側へ向けたさらなる移動が規制され、これにより内容器３０のストローク端が設定されている。
【００４７】
食品衛生の検査においては、上記のように薬剤３と薬液３１とを混合して調剤された混合剤（検査薬）を１ｍｌだけ取り出し、９ｍｌの培地剤に混合することにより培地を生成する。このような作業は、例えば図５に示す定量排出混合容器５０を本発明の二剤混合容器１と組み合わせて用いることで容易に行うことができる。つまり、定量排出混合容器５０は、二剤混合容器１から排出された所定量の混合剤を、定量排出混合容器５０に収容した第３剤としての培地剤５１と混合して培地を生成することができるとともに、生成した培地を所定量（１ｍｌ）だけ排出することができる。
【００４８】
図５に示すように、この定量排出混合容器５０は、図１に示す二剤混合容器１と同一の構成の容器本体２、スライド栓１０およびストッパキャップ２０を有している。図５においては、これらの部材に図１に示す場合と同一の符号を付してある。そして、定量排出混合容器５０の容器本体２の内部には第３剤としての液状の培地剤５１が収容されている。
【００４９】
一方、図５に示す定量排出混合容器５０では、容器本体２の内側には、図１に示す内容器３０に換えて接続筒体５２が装着されている。接続筒体５２は、一端において容器本体２の内部に連通するとともに他端が開閉蓋５３により閉塞された円筒状に形成されており、容器本体２の胴部２ａの内側に該胴部２ａの軸方向に移動自在に装着されて胴部２ａの開口端を閉塞している。
【００５０】
このように、定量排出混合容器５０を、図１に示す二剤混合容器１に対して、内容器３０を接続筒部５２に換えた以外、全て同一の構成としたことにより、この定量排出混合容器５０と二剤混合容器１とで部品を共通化し、その金型を共通化することを可能として、これらのコストを低減することができる。
【００５１】
培地を生成する際には、図６に示すように、胴部２ａに対して口部２ｂが下方となる姿勢で開閉蓋５３を開き、定量排出混合容器５０の接続筒体５２の開口端にその上方から二剤混合容器１の口部２ｂを挿通させる。そして、この状態で二剤混合容器１の内容器３０を口部２ｂの側へ向けて押し込み、薬剤３と薬液３１とを混合させるとともに当該混合剤（検査薬）を所定量（１ｍｌ）だけ口部２ｂから排出させ、接続筒体５２を通して定量排出混合容器５０の容器本体２の内部に流入させる。これにより、二剤混合容器１から排出された所定量の混合剤を定量排出混合容器５０の容器本体２に収容された所定量の培地剤５１と混合させることができる。
【００５２】
次に、二剤混合容器１を定量排出混合容器５０から取り外して開閉蓋５３を閉じ、混合剤と培地剤５１とをよく混合させた後、ストッパキャップ２０を取り外して、接続筒体５２を口部２ｂに向けて押し込むことにより、図１に示す構成において内容器３０を口部２ｂに向けて押し込んだ場合と同様に、スライド栓１０を後退位置から進出位置にまで移動させて定量排出混合容器５０の口部２ｂから所定量（１ｍｌ）の培地を排出させることができる。したがって、この定量排出混合容器５０を用いることにより、二剤混合容器１で調剤された混合剤（検査薬）と培地５１との混合を容易に行うことができるとともに当該混合により生成された培地を所定量だけ容易に取り出すことができる。
【００５３】
二剤混合容器１と組み合わされて培地を生成するとともに所定量の培地を取り出すための器具としては、図６に示す定量排出混合容器５０に換えて、図７に示すような蓋付き混合容器６１とスポイト６２のセットを用いることもできる。この場合、蓋付き混合容器６１の混合容器本体６１ａには、図５に示す場合と同様の培地剤５１が第３剤として所定量（９ｍｌ）だけ収容される。
【００５４】
そして、図８に示すように、蓋付き混合容器６１の蓋６１ｂを取り外し、混合容器本体６１ａにその上方から二剤混合容器１の口部２ｂを挿通する。そして、この状態で二剤混合容器１の内容器３０を口部２ｂの側へ向けて押し込み、薬剤３と薬液３１とを混合させるとともに当該混合剤（検査薬）を所定量（１ｍｌ）だけ口部２ｂから排出させ、混合容器本体６１ａに流入させる。これにより、二剤混合容器１から排出した所定量の混合剤を混合容器本体６１ａにおいて培地剤５１と混合させることができる。
【００５５】
そして、二剤混合容器１を混合容器本体６１ａから取り外し、混合剤と培地剤５１とをよく混合させた後、スポイト６２を用いて混合容器本体６１ａから所定量（１ｍｌ）の培地を取り出すことができる。
【００５６】
本発明は前記実施の形態に限定されるものではなく、その要旨を逸脱しない範囲で種々変更可能であることはいうまでもない。
【００５７】
例えば、前記実施の形態では、スライド栓１０の定量計測室１１は、傘状の第１栓部１０ｂと円板状の第２栓部１０ｃとの間で環状に形成されているが、これに限らず、例えば、口部２ｂの内周面に液密に摺接する外径に形成された柱状部１０ａの側面の一部を凹ませることにより当該側面の周方向の一部において径方向外側に向けて開口する凹形状に定量計測室１１を構成することもできる。
【００５８】
また、当接部はスライド栓１０の円筒体１３の外周面に設けられたリブ１５に限らず、内容器３０に当接して内容器３０とともにスライド栓１０を進出位置に向けて移動させることができる構成であれば、種々の構成を採用することができる。
【符号の説明】
【００５９】
１    二剤混合容器
２    容器本体
２ａ  胴部
２ｂ  口部
２ｃ  装着円筒部
２ｄ  テーパ部
２ｅ  雄ねじ
３    薬剤（第１剤）
４    本体側フランジ
１０    スライド栓
１０ａ  柱状部
１０ｂ  第１栓部
１０ｃ  第２栓部
１１    定量計測室
１２    板部
１３    円筒体
１４    破断部
１５    リブ（当接部）
２０    ストッパキャップ
２０ａ  ストッパ突起
２０ｂ  環状突起
３０    内容器
３０ａ  上端壁
３０ｂ  下端壁
３１    薬液（第２剤）
３２    弱化部
３３    内容器側フランジ
４０    ストッパ片
５０    定量排出混合容器
５１    培地剤（第３剤）
５２    接続筒体
５３    開閉蓋
６１    蓋付き混合容器
６１ａ  混合容器本体
６２    スポイト
【図１】
0006338977.tif 000002
【図２】
0006338977.tif 000003
【図３】
0006338977.tif 000004
【図４】
0006338977.tif 000005
【図５】
0006338977.tif 000006
【図６】
0006338977.tif 000007
【図７】
0006338977.tif 000008
【図８】
0006338977.tif 000009